(57)【要約】【課題】従来技術においては、例えば、利用者のニーズに応えるべく、利便性向上の点でさらなる改善の余地がある。【解決手段】実施形態のエレベータ制御装置は、エレベータ制御装置は、前記乗りかごの荷重が予め設定された満員判定荷重以上である場合に前記満員通過オペレーションを実行可能である。さらに、エレベータ制御装置は、前記乗りかごの荷重が前記満員判定荷重より小さい基準荷重以上であり、かつ、当該乗りかごが乗場に着床し戸開した際に当該乗りかごの荷重が増減しなかった場合に前記満員通過オペレーションを実行可能である。さらに、エレベータ制御装置は、前記乗りかごが複数設けられ、通過階床の乗場から乗場呼びがなされてからの経過時間に応じて、当該通過階床の乗場からの乗場呼びに応答する他の前記乗りかごを割り振る。【選択図】図２
2015048202.tif 000002
【特許請求の範囲】
【請求項１】
エレベータの乗りかごの荷重の変化に応じて、当該乗りかごに目的階までの途中階床を通過させる満員通過オペレーションを実行可能なものであり、
前記乗りかごの荷重が予め設定された満員判定荷重以上である場合に前記満員通過オペレーションを実行可能であると共に、さらに、前記乗りかごの荷重が前記満員判定荷重より小さい基準荷重以上であり、かつ、当該乗りかごが乗場に着床し戸開した際に当該乗りかごの荷重が増減しなかった場合に前記満員通過オペレーションを実行可能であり、
さらに、前記乗りかごが複数設けられ、前記満員通過オペレーションが実行される前記乗りかごが通過する前記途中階床である通過階床の乗場から乗場呼びがなされてからの経過時間に応じて、当該通過階床の乗場からの乗場呼びに応答する他の前記乗りかごを割り振ることを特徴とする、
エレベータ制御装置。
【請求項２】
前記経過時間が予め設定される所定時間以下である場合に、前記通過階床の乗場からの乗場呼びに対して、荷重が最も小さい前記乗りかごを応答させ、
前記経過時間が予め設定される所定時間を超える場合に、前記通過階床の乗場からの乗場呼びに対して、当該通過階床に最も近い前記乗りかごを応答させる、
請求項１に記載のエレベータ制御装置。
【発明の詳細な説明】
【技術分野】
【０００１】
本発明の実施形態は、エレベータ制御装置に関する。
【背景技術】
【０００２】
従来、エレベータは、昇降路内を乗りかご（かご）が移動することにより、乗りかごを任意の階床に移動させる。このようなエレベータに適用されるエレベータ制御装置は、例えば、乗りかごの荷重が満員判定荷重以上である場合に、当該乗りかごに目的階までの途中階床を通過させる満員通過オペレーションを実行する場合がある。
【先行技術文献】
【特許文献】
【０００３】
【特許文献１】特開昭６１−１５５１７３号公報
【発明の概要】
【発明が解決しようとする課題】
【０００４】
ところで、従来技術においては、例えば、利用者のニーズに応えるべく、利便性向上の点でさらなる改善の余地がある。
【課題を解決するための手段】
【０００５】
実施形態のエレベータ制御装置は、エレベータの乗りかごの荷重の変化に応じて、当該乗りかごに目的階までの途中階床を通過させる満員通過オペレーションを実行可能なものである。エレベータ制御装置は、前記乗りかごの荷重が予め設定された満員判定荷重以上である場合に前記満員通過オペレーションを実行可能である。さらに、エレベータ制御装置は、前記乗りかごの荷重が前記満員判定荷重より小さい基準荷重以上であり、かつ、当該乗りかごが乗場に着床し戸開した際に当該乗りかごの荷重が増減しなかった場合に前記満員通過オペレーションを実行可能である。さらに、エレベータ制御装置は、前記乗りかごが複数設けられ、通過階床の乗場から乗場呼びがなされてからの経過時間に応じて、当該通過階床の乗場からの乗場呼びに応答する他の前記乗りかごを割り振る。通過階床は、前記満員通過オペレーションが実行される前記乗りかごが通過する前記途中階床である。
【図面の簡単な説明】
【０００６】
【図１】図１は、実施形態に係るエレベータ群の概略構成を示す模式的な斜視図である。
【図２】図２は、実施形態に係るエレベータ制御装置の概略構成を示すブロック図である。
【図３】図３は、実施形態に係るエレベータ制御装置における制御の一例を説明するフローチャートである。
【発明を実施するための形態】
【０００７】
［実施形態］
図１は、実施形態に係るエレベータ群の概略構成を示す模式的な斜視図である。図２は、実施形態に係るエレベータ制御装置の概略構成を示すブロック図である。図３は、実施形態に係るエレベータ制御装置における制御の一例を説明するフローチャートである。
【０００８】
図１、図２に示すように、本実施形態のエレベータ制御装置１は、エレベータ群（エレベータシステム）２を群管理し効率的な運行サービスを行うものである。エレベータ制御装置１は、複数台のエレベータ３によって、複数の階床に対してサービス可能とするものである。ここでは、エレベータ群２は、１号機から３号機までの複数のエレベータ３からなり、複数の乗りかご４がそれぞれ昇降路を昇降することで複数の階床に対して運行サービスを行う。
【０００９】
なお、以下の説明では、エレベータ群２は、１号機から３号機の３つのエレベータ３を備えるものとして説明するがこれに限らない。エレベータ群２は、エレベータ３を２つ備えるものであってもよいし、４つ以上を備えるものであってもよい。また、以下の説明では、１号機から３号機の３つのエレベータ３は、特に断りのない限り、３つを区別せずに単にエレベータ３として説明する。また、本実施形態のエレベータ制御装置１は、複数の単体制御装置５０と、群管理制御装置１００とを含んで構成される。
【００１０】
各エレベータ３は、それぞれ、乗客を乗せる乗りかご４、乗客が乗降する乗場５、単体制御装置５０等を含んで構成される。各エレベータ３は、それぞれ、乗りかご４とカウンタウェイトとをメインロープで連結したいわゆるつるべ式のエレベータである。各エレベータ３は、単体制御装置５０によって各部の駆動が制御されて乗りかご４が昇降路内を昇降することで、任意の目的階に移動することができる。
【００１１】
乗りかご４は、メインロープが接続され、建造物の鉛直方向に沿って設けられる昇降路内に配置され、この昇降路を昇降可能なものである。乗りかご４は、当該乗りかご４に対応してそれぞれ設けられる巻上機のメインシーブに巻き掛けられたメインロープを介してカウンタウェイトと連結されている。乗りかご４は、巻上機の駆動によるメインシーブの回転に伴い、カウンタウェイトとともに互いに上下反対方向に昇降する。各乗りかご４は、かご呼び登録装置４ａ、荷重検出器４ｂ等を含んで構成される。かご呼び登録装置４ａは、各乗りかご４内にそれぞれ設けられる。かご呼び登録装置４ａは、利用者が目的階を登録するためのものである。かご呼び登録装置４ａは、典型的には、利用者の操作に応じてかご呼びを登録可能とする。つまり、かご呼び登録装置４ａは、利用者による操作入力に応じていわゆるかご呼び登録等を行う。かご呼び登録装置４ａは、目的階を表す複数の押しボタン、あるいは、これらを表示するタッチパネル等を含んで構成される。荷重検出器４ｂは、乗りかご４内の積載荷重を検出する。
【００１２】
乗場５は、乗りかご４が着床可能な各エレベータ停止階床に設けられる。各乗場５は、それぞれ乗場呼び登録装置６等が設けられる。乗場呼び登録装置６は、各乗場５の扉７の近傍にそれぞれ設けられる。本実施形態の乗場呼び登録装置６は、各乗場５において、各号機に対応して１つずつ、すなわち、ここでは各乗場５に３つずつ設けられる。乗場呼び登録装置６は、利用者が乗場５に乗りかご４を呼ぶためのものである。乗場呼び登録装置６は、典型的には、利用者による操作に応じて乗場呼びを登録可能とする。つまり、乗場呼び登録装置６は、利用者による操作入力に応じていわゆる乗場呼び登録等を行う。各乗場呼び登録装置６は、それぞれ「上方向矢印」を表す乗場上昇呼びボタン８、「下方向矢印」を表す乗場下降呼びボタン９、あるいは、これらを表示するタッチパネル等を含んで構成される。
【００１３】
そして、本実施形態のエレベータ制御装置１は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、エレベータ３の仕様等の情報を記憶する。
【００１４】
エレベータ制御装置１は、各々のエレベータ３の動作を個別に制御する単体制御装置５０、エレベータ群２の群管理制御を行う群管理制御装置１００等を含んで構成される。単体制御装置５０は、各エレベータ３の種々のセンサ、検出器や巻上機、乗りかご４のかご呼び登録装置４ａ、荷重検出器４ｂ、乗場呼び登録装置６等のエレベータ３の各部と電気的に接続され、エレベータ３単体の各部の動作を統括的に制御する。単体制御装置５０は、例えば、かご呼び登録装置４ａ、乗場呼び登録装置６への利用者からの操作入力に応じて、巻上機の駆動を制御し、乗りかご４を呼び登録に応じた指定の目的階に移動させる。群管理制御装置１００は、複数のエレベータ３の各単体制御装置５０と相互に検出信号や駆動信号、制御指令等の情報の通信、授受を行い、エレベータ群２を群管理する。
【００１５】
上記のように構成される各エレベータ３は、通常運転として、利用者により乗りかご４のかご呼び登録装置４ａ、乗場呼び登録装置６等を介して乗りかご４の呼び操作が行われた場合に、下記のように動作する。すなわち、各エレベータ３は、かご呼び登録装置４ａ、乗場呼び登録装置６から単体制御装置５０にこれに応じたかご呼び登録信号、乗場呼び登録信号が入力される。そして、各エレベータ３は、単体制御装置５０がこの呼び登録信号に応じて乗りかご４のかご呼び登録、乗場呼び登録を行う。群管理制御装置１００は、例えば、各エレベータ３の複数の乗りかご４から、各乗りかご４の状態に応じて乗場５からの乗場呼び登録に応答する最適な乗りかご４を割り振る群管理制御を実行する。群管理制御装置１００は、各エレベータ３、各乗りかご４の状態に基づいて、発生した呼びに対して所定の評価演算を行う。群管理制御装置１００は、例えば、かご呼び登録信号、乗場呼び登録信号、種々のセンサ、検出器からの出力、乗りかご４の現在位置及び移動方向（昇降方向）、これから発生すると予測される乗場呼び、かご呼び、予測される行先階等に基づいて、上記評価演算を行う。そして、群管理制御装置１００は、この所定の評価演算に応じて、輸送効率上、各乗りかご４が合理的に移動しながらそれぞれの呼びに最適に応答するように、乗りかご４の着床順序等を定めて各呼びに応答する乗りかご４を割り当てて、応答乗りかご４を決定する割り振り（割当）処理を行う。そして、群管理制御装置１００は、複数の乗りかご４の運行を効率的に割り振り、エレベータ群２全体として効率的な運行サービスを行う。単体制御装置５０は、このかご呼び登録信号、乗場呼び登録信号、種々のセンサ、検出器からの出力、乗りかご４の現在の移動方向（昇降方向）等に基づいた群管理制御装置１００からの割り振りに応じて、巻上機を駆動制御し、乗りかご４を目的の階床へと移動させる。これにより、各エレベータ３は、乗りかご４が昇降路内を鉛直方向上下に昇降移動し、任意の目的階の乗場５に移動する。そして、各エレベータ３は、乗りかご４が目的階の乗場５に着床し、所定の着床位置に着床したことが検出されると、その後、単体制御装置５０が乗りかご４の扉１０、及び、当該階床の乗場５の扉７を開放する。これにより、乗場５で待機している利用者は、乗りかご４内に乗り込むことが可能となり、また、乗りかご４内の利用者は乗場５に降りることが可能となる。
【００１６】
ところで、本実施形態のエレベータ制御装置１は、各乗りかご４の荷重条件に応じて満員通過オペレーションを実行可能である。ここで、満員通過オペレーションとは、典型的には、所定の荷重条件を満たした当該乗りかご４に、目的階までの途中階床を通過させる運転である。
【００１７】
本実施形態のエレベータ制御装置１は、基本的には、乗りかご４の荷重が予め設定された満員判定荷重以上である場合に当該満員通過オペレーションを実行可能である。ここで、満員判定荷重は、乗りかご４の搬送性能等に応じて予め設定される。また、乗りかご４の荷重は、各荷重検出器４ｂが検出する乗りかご４内の積載荷重に応じて検出される。より詳細には、満員通過オペレーションでは、荷重が満員判定荷重以上となった乗りかご４において、当該乗りかご４でなされたかご呼び登録に応じた目的階までの途中階床の乗場５からの乗場呼びを打ち消し無効化し、当該乗りかご４に当該途中階床を通過させる。つまり、エレベータ制御装置１は、荷重が満員判定荷重以上となった乗りかご４を、目的階までの途中階床の乗場５からの新たな乗場呼び登録には応答させずに、当該乗りかご４に当該途中階床を通過させる。
【００１８】
そしてさらに、本実施形態のエレベータ制御装置１は、各乗りかご４の荷重の変化に応じて満員通過オペレーションを発生させることで、より利用者のニーズに応えた利便性の高いサービスを実現している。ここでは、エレベータ制御装置１は、乗りかご４の荷重が満員判定荷重より小さい基準荷重以上であり、かつ、当該乗りかご４が乗場５に着床し戸開した際に当該乗りかご４の荷重が増減しなかった場合に満員通過オペレーションを実行可能である。ここで、基準荷重は、例えば、満員判定荷重より小さい荷重で、かつ、乗りかご４の内に所定の人数の乗客がいるときの荷重等に応じて適宜予め設定されればよい。これにより、エレベータ制御装置１は、乗場５にて乗りかご４の荷重が増減しなかった場合、例えば、乗りかご４が混雑しており乗場５の利用者が乗りかご４に乗り込めなかったものと推定できるような場合に、満員通過オペレーションを実行することができる。
【００１９】
またさらに、エレベータ制御装置１は、通過階床の乗場５から乗場呼びがなされてからの経過時間（以下、「通過階床乗場呼び経過時間」という場合がある。）に応じて、当該通過階床の乗場５からの乗場呼びに応答する他の乗りかご４を割り振るようにしてもよい。つまり、エレベータ制御装置１は、通過階床の乗場５からの乗場呼びに応答させる乗りかご４を、通過階床乗場呼び経過時間に応じて変更するようにしてもよい。ここで、通過階床とは、満員通過オペレーションが実行される乗りかご４が通過する途中階床である。
【００２０】
この場合、エレベータ制御装置１は、通過階床乗場呼び経過時間が予め設定される所定時間以下である場合に、通過階床の乗場５からの乗場呼びに対して、荷重が最も小さい乗りかご４を応答させる。一方、エレベータ制御装置１は、通過階床乗場呼び経過時間が予め設定される所定時間を超える場合に、通過階床の乗場５からの乗場呼びに対して、当該通過階床に最も近い乗りかご４を応答させる。ここで、所定時間は、許容される待ち時間等に応じて適宜予め設定されればよい。
【００２１】
具体的には、エレベータ制御装置１は、図２に示すように、群管理制御装置１００に、機能概念的に、荷重検出部１０１、割り振り制御部１０２、乗場呼び制御部１０３、乗場呼び検出部１０４等が設けられている。
【００２２】
荷重検出部１０１は、各乗りかご４の荷重検出器４ｂから検出信号が入力され、各乗りかご４の荷重を演算、検出するものである。荷重検出部１０１は、検出した各乗りかご４の荷重信号を割り振り制御部１０２に出力する。
【００２３】
割り振り制御部１０２は、各部から送信される各種信号に応じて、乗場呼び登録装置６を介して乗場呼びが登録されると、上述のように、各々のエレベータ３の状態に基づいてエレベータの評価値を算出するものである。そして、割り振り制御部１０２は、算出した評価値等に基づいて当該登録された乗場呼びに応答する最適な乗りかご４を決定し、割り振り信号を当該乗りかご４の単体制御装置５０に出力する。例えば、割り振り制御部１０２は、各号機に既に割り当てられた乗場呼び、かご呼び登録の状況を含む各号機の運転情報等に基づいて、乗場呼びが登録された階床への各号機の予測到着時間を算出する。そして、割り振り制御部１０２は、当該予測到着時間から最も群管理制御内での運転効率が良い(例えば、予測到着時間が最も短い)号機を選定する。そして、割り振り制御部１０２は、割り当てられた号機の単体制御装置５０に、乗場呼びが登録された階床への停止を要求する割り振り信号を出力する。
【００２４】
そして、本実施形態の割り振り制御部１０２は、さらに、荷重検出部１０１から入力される荷重信号に基づいて各乗りかご４に満員通過オペレーションを実行させる場合に、乗場呼び制御部１０３、該当する乗りかご４の単体制御装置５０に満員通過信号を出力する。割り振り制御部１０２は、乗りかご４の荷重が満員判定荷重以上である場合に、乗場呼び制御部１０３、該当する乗りかご４の単体制御装置５０に満員通過信号を出力する。また、割り振り制御部１０２は、乗りかご４の荷重が基準荷重以上であり、かつ、当該乗りかご４が乗場５に着床し戸開した際に当該乗りかご４の荷重が増減しなかった場合に乗場呼び制御部１０３、該当する乗りかご４の単体制御装置５０に満員通過信号を出力する。当該満員通過信号が入力された単体制御装置５０は、自号機において上述した満員通過オペレーションを実行する。
【００２５】
またさらに、割り振り制御部１０２は、後述の乗場呼び検出部１０４から入力される経過時間信号に応じて、満員通過オペレーションが実行される乗りかご４が通過する通過階床の乗場５からの乗場呼びに応答する他の乗りかご４を割り振る。割り振り制御部１０２は、経過時間信号に応じた通過階床乗場呼び経過時間が所定時間以下である場合に、通過階床の乗場５からの乗場呼びに対して、荷重が最も小さい乗りかご４を応答させるように、該当する号機の単体制御装置５０に割り振り信号を出力する。一方、割り振り制御部１０２は、当該通過階床乗場呼び経過時間が所定時間を超える場合に、通過階床の乗場５からの乗場呼びに対して、当該通過階床に最も近い乗りかご４を応答させるように、該当する号機の単体制御装置５０に割り振り信号を出力する。
【００２６】
乗場呼び制御部１０３は、各乗場５の乗場呼び登録装置６の乗場上昇呼びボタン８、乗場下降呼びボタン９に信号を出力し、これを制御するものである。乗場呼び制御部１０３は、割り振り制御部１０２から満員通過信号が入力されると、満員通過オペレーションが実行される乗りかご４に対する目的階までの途中階床の乗場５からの乗場呼びを打ち消す信号を乗場呼び登録装置６に出力する。
【００２７】
乗場呼び検出部１０４は、各乗場５の乗場呼び登録装置６の乗場上昇呼びボタン８、乗場下降呼びボタン９から入力される乗場呼び登録信号に基づいて乗場呼びを検出するものである。乗場呼び検出部１０４は、各乗場５の乗場呼び登録装置６から乗場呼び登録信号が入力されると、当該乗場呼びがなされてからの経過時間、ここでは信号入力からの経過時間を計測する。乗場呼び検出部１０４は、計測した経過時間に関する経過時間信号を割り振り制御部１０２に出力する。
【００２８】
次に、図３のフローチャートを参照してエレベータ制御装置１による制御の一例を説明する。本制御フローは、例えば、所定の間隔で繰り返し実行される。
【００２９】
まず、割り振り制御部１０２は、乗場呼び検出部１０４から入力される信号に基づいて乗場呼びが発生したか否を判定する（ステップＳ１）。このとき、乗場呼び検出部１０４は、乗場呼び登録装置６から入力される乗場呼び登録信号に基づいて乗場呼びを検出した場合には、当該信号が入力された時点から経過時間の計測を開始する。そして、乗場呼び検出部１０４は、計測した経過時間に応じた経過時間信号を割り振り制御部１０２に出力する。割り振り制御部１０２は、乗場呼びが発生していないと判定した場合（ステップＳ１：Ｎｏ）、このステップＳ１の判定を繰り返し実行する。
【００３０】
割り振り制御部１０２は、乗場呼びが発生したと判定した場合（ステップＳ１：Ｙｅｓ）、評価値等を算出し、登録された乗場呼びに応答する最適な乗りかご４を決定し、割り振り信号を該当する号機の単体制御装置５０に出力する。割り振り信号が入力された単体制御装置５０は、当該号機の乗りかご４（以下、「当該乗りかご４」という場合がある。）を、乗場呼びがなされた階床の乗場５に移動、着床させ、当該乗りかご４の扉１０、及び、当該階床の乗場５の扉７を開放する（ステップＳ２）。
【００３１】
次に、割り振り制御部１０２は、当該乗りかご４の荷重検出部１０１から入力される荷重信号に基づいて、当該乗りかご４が満員荷重であるか否か、すなわち、当該乗りかご４の荷重が満員判定荷重以上であるか否かを判定する（ステップＳ３）。
【００３２】
割り振り制御部１０２は、当該乗りかご４が満員荷重である、すなわち、当該乗りかご４の荷重が満員判定荷重以上であると判定した場合（ステップＳ３：Ｙｅｓ）、下記の処理を行う。すなわち、割り振り制御部１０２は、乗場呼び制御部１０３、及び、当該乗りかご４の単体制御装置５０に満員通過信号を出力する。これにより、当該乗りかご４において満員通過オペレーションが発生する（ステップＳ４）。この場合、乗場呼び制御部１０３は、満員通過オペレーションが実行される当該乗りかご４に対する目的階までの途中階床の乗場５からの乗場呼びを打ち消す信号を乗場呼び登録装置６に出力する。また、満員通過信号が入力された単体制御装置５０は、当該乗りかご４でなされたかご呼び登録に応じた目的階までの途中階床の乗場５からの乗場呼びには応答させずに、当該乗りかご４に途中階床を通過させる。これにより、単体制御装置５０は、当該乗りかご４を目的階まで直接移動させる。またこのとき、割り振り制御部１０２は、上記のように、乗場呼び検出部１０４から入力される経過時間信号に基づいた通過階床乗場呼び経過時間に応じて、当該乗りかご４が通過する通過階床の乗場５からの乗場呼びに応答する他の乗りかご４を割り振る。そして、割り振り制御部１０２は、各単体制御装置５０に適宜割り振り信号を出力し、各単体制御装置５０は、当該割り振り信号に応じて各号機の乗りかご４を昇降させ当該乗場呼びに応答させる。そして、このエレベータ制御装置１は、本制御フローを終了する。
【００３３】
割り振り制御部１０２は、ステップＳ３にて、当該乗りかご４が満員荷重でない、すなわち、当該乗りかご４の荷重が満員判定荷重未満であると判定した場合（ステップＳ３：Ｎｏ）、下記の処理を行う。すなわち、割り振り制御部１０２は、当該乗りかご４の荷重検出部１０１から入力される荷重信号に基づいて、当該乗りかご４の荷重が基準荷重以上であるか否かを判定する（ステップＳ５）。
【００３４】
割り振り制御部１０２は、当該乗りかご４の荷重が基準荷重以上であると判定した場合（ステップＳ５：Ｙｅｓ）、当該乗りかご４が乗場５に着床し戸開した際に当該乗りかご４の荷重が増減したか否かを判定する（ステップＳ６）。割り振り制御部１０２は、当該乗りかご４の荷重が増減していないと判定した場合（ステップＳ６：Ｎｏ）、ステップＳ４の処理に移行し、当該乗りかご４において満員通過オペレーションを発生させる。
【００３５】
割り振り制御部１０２は、ステップＳ５にて当該乗りかご４の荷重が基準荷重未満であると判定した場合（ステップＳ５：Ｎｏ）、ステップＳ６にて当該乗りかご４の荷重が増減したと判定した場合（ステップＳ６：Ｙｅｓ）、下記の処理を行う。すなわち、割り振り制御部１０２は、当該乗りかご４において満員通過オペレーションを発生させずに（ステップＳ７）、本制御フローを終了する。
【００３６】
上記のように構成されるエレベータ制御装置１は、乗りかご４の荷重の変化に応じて、当該乗りかご４に目的階までの途中階床を通過させる満員通過オペレーションを実行させる。ここでは、エレベータ制御装置１は、乗りかご４の荷重が満員判定荷重以上である場合に加え、乗りかご４の荷重が基準荷重以上であり、かつ、戸開した際に当該乗りかご４の荷重が増減しなかった場合に満員通過オペレーションを実行する。これにより、エレベータ制御装置１は、乗場５にて乗りかご４の荷重が増減しなかった場合、例えば、乗りかご４が混雑しており乗場５の利用者が乗りかご４に乗り込めなかったものと推定できるような場合に、満員通過オペレーションを実行することができる。この結果、エレベータ制御装置１は、乗りかご４の荷重が満員判定荷重に満たない状態であっても、各乗りかご４の荷重の変化に応じて必要に応じて満員通過オペレーションを実行することができる。したがって、このエレベータ制御装置１は、乗りかご４が混雑しており乗場５の利用者が乗りかご４に乗り込めないにもかかわらず、乗りかご４が不必要に目的階までの途中階床に停止することを抑制することができる。これにより、このエレベータ制御装置１は、運行の効率を向上することができると共に、利用者のニーズに適切に応えることができるので、利便性を向上することができる。
【００３７】
さらに、このエレベータ制御装置１は、通過階床乗場呼び経過時間に応じて、満員通過オペレーションにおける通過階床からの乗場呼びに応答する乗りかご４を割り振る。ここでは、エレベータ制御装置１は、通過階床乗場呼び経過時間が所定時間以下である場合に、通過階床からの乗場呼びに対して、荷重が最も小さい乗りかご４を応答させる。一方、エレベータ制御装置１は、通過階床乗場呼び経過時間が所定時間を超える場合に、通過階床からの乗場呼びに対して、当該通過階床に最も近い乗りかご４を応答させる。この結果、エレベータ制御装置１は、満員通過オペレーションにおける通過階床の乗場５で乗場呼びを行った利用者の長待ちを抑制することができる。この点でも、エレベータ制御装置１は、利用者のニーズに適切に応えることができるので、利便性を向上することができる。
【００３８】
以上で説明したエレベータ制御装置１によれば、エレベータ３の乗りかご４の荷重の変化に応じて、当該乗りかご４に目的階までの途中階床を通過させる満員通過オペレーションを実行可能なものである。エレベータ制御装置１は、乗りかご４の荷重が予め設定された満員判定荷重以上である場合に満員通過オペレーションを実行可能である。さらに、エレベータ制御装置１は、乗りかご４の荷重が満員判定荷重より小さい基準荷重以上であり、かつ、当該乗りかご４が乗場５に着床し戸開した際に当該乗りかご４の荷重が増減しなかった場合に満員通過オペレーションを実行可能である。さらに、エレベータ制御装置１は、乗りかご４が複数設けられ、通過階床の乗場５から乗場呼びがなされてからの経過時間に応じて、当該通過階床の乗場５からの乗場呼びに応答する他の乗りかご４を割り振る。ここで、通過階床は、満員通過オペレーションが実行される乗りかご４が通過する途中階床である。したがって、エレベータ制御装置１は、例えば、乗りかご４の荷重が満員判定荷重に達していなくても、乗りかご４の荷重の変化に応じて満員通過オペレーションを実行することができるので、利用者のニーズに適切に応えることができ、利便性を向上することができる。
【００３９】
なお、上述した実施形態に係るエレベータ制御装置は、上述した実施形態に限定されず、特許請求の範囲に記載された範囲で種々の変更が可能である。
【００４０】
以上で説明したエレベータ制御装置は、エレベータ群２に適用され、群管理を行うものとして説明したがこれに限らない。エレベータ制御装置は、エレベータ群２ではなく、単体のエレベータ３に適用され、当該エレベータ３の乗りかご４の荷重の変化に応じて満員通過オペレーションを実行するようにしてもよい。
【００４１】
以上で説明した実施形態、変形例に係るエレベータ制御装置によれば、利便性を向上することができる。
【００４２】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１    エレベータ制御装置
２    エレベータ群
３    エレベータ
４    乗りかご
４ｂ    荷重検出器
５    乗場
６    乗場呼び登録装置
５０    単体制御装置
１００    群管理制御装置
１０１    荷重検出部
１０２    割り振り制御部
１０３    乗場呼び制御部
１０４    乗場呼び検出部
【図１】
2015048202.tif 000003
【図２】
2015048202.tif 000004
【図３】
2015048202.tif 000005